(57)【特許請求の範囲】
【請求項１】
ウェブの幅方向の全長に亘って延びるノズルをウェブの走行方向へ所要間隔位置で多数配列し且つ該各ノズルの基端側を熱風供給用のヘッダにて連結してなるドライヤユニットを、走行するウェブの両面側に、それぞれノズルの先端側が接近するように対向させて配置させ、走行するウェブの両面に、上記各ノズル先端側より熱風を吹き付けることによりウェブを乾燥させるようにしてあるエアドライヤにおいて、上記各ノズルの基端側で且つ長手方向の複数個所の両側に、幅方向に突出するひれ状突起を、隣接配置されたノズル間で相対向するように設けて、該相対向するひれ状突起を個々の押え部材とボルトで取外し可能に固定した構成を有することを特徴とするエアドライヤ。
【請求項２】
押え部材を、円盤状とし且つ周方向の全周に亘る外周縁部のヘッダ側角部に、ノズルのひれ状突起を係合させ得る段差部を設けてなる構成とした請求項１記載のエアドライヤ。
【発明の詳細な説明】
【０００１】
【発明の属する技術分野】
本発明は走行する塗工紙の如きウェブの両面にノズルより熱風を吹き付けて乾燥させるエアドライヤに関するもので、特にノズルの着脱を容易にできてノズルの清掃を容易にできるエアドライヤに関するものである。
【０００２】
【従来の技術】
製紙工場で製造された紙はそのままの形で直ちに使用されることはなく、それを原紙として更に加工を施すことにより所望の目的に適合する製品としての加工紙とする場合が多い。加工紙には種々のものがあるが、その一つに塗被加工紙（塗工紙）がある。かかる塗工紙を製造する場合は、ウェブとしての原紙を走行させながら、その表面にブレードコータやカーテンコータなどの各種塗工装置を用いて塗工液（塗工用カラー）を塗布するようにしてあり、該塗工液が塗布された原紙を、エアドライヤに導いて連続的に乾燥処理させるようにしている。
【０００３】
上記エアドライヤは、図３及び図４にその一例の概略を示す如く、上部ケーシング２ａと下部ケーシング２ｂに分割したケーシング２を走行する原紙１を所要長さに亘って取り囲むように設置し、該上部及び下部の各ケーシング２ａ，２ｂの一端部を、ヒンジ３を介して回動自在に連結すると共に、他端部を、油圧シリンダの如き伸縮作動するアクチュエータ４を介して連結して、該アクチュエータ４を伸縮作動させることにより、ヒンジ３を中心に上部ケーシング２ａを開閉できるようにしてあり、原紙１の幅方向の全長に亘って延びるノズル７を原紙走行方向に所要間隔で多数平行に配列して該各ノズル７の基端側をヘッダ６に取り付けて連結した構成としてなるドライヤユニット５を、上記ケーシング２内に収納して走行する原紙１の上下両側に、それぞれノズル７の先端側が原紙１の表面に近接するように対向配置して、上側のドライヤユニット５を上部ケーシング２ａの下部位置に、又、下側のドライヤユニット５を上記下部ケーシング２ｂの上部位置にそれぞれ一体に固定した構成としてあり、更に、上部ケーシング２ａの頂部に熱風発生装置８を設けて、該熱風発生装置８を上側ドライヤユニット５のヘッダ６にダクト９を介して接続し、且つ上記熱風発生装置８を下側ドライヤユニット５のヘッダ６に、中間部にフレキシブルホース部を備えたダクト１０を介して接続した構成として、上記熱風発生装置８で発生させた熱風１１を、ダクト９及び１０を通して上側及び下側の各ドライヤユニット５に導き、該各ドライヤユニット５のノズル７の先端側より吹き出させることにより、原紙１が上下の各ドライヤユニット５の間を走行して通過する間に原紙１に塗布された塗工液を乾燥させるようにしてある。
【０００４】
又、上記各ドライヤユニット５は、図５に詳細を示す如く、ヘッダ６の表面側に、原紙幅方向に延びるスリット状の開口１３を、原紙の走行方向に所要間隔を隔てて多数設け、該ヘッダ６の各開口１３の外側に、先端側にノズル口を設け且つ基端側に幅方向に大きく張り出すフランジ部１２を長手方向の全長に亘って形成してなるノズル７を、上記開口１３を覆うように配置し、更に、原紙走行方向に隣接するノズル７の対向するフランジ部１２同士の外側に、ノズル７の長手方向の全長に亘って延びる長さを有し且つ上記ノズル７のフランジ部１２を押えるように幅方向の両縁部に屈曲した押え部１５を全長に亘って形成してなる押え板１４を配置し、該押え板１４の幅方向中央部の長手方向複数個所を締付用ボルト１６によりヘッダ６の表面に固定させることにより、押え板１４の両側の押え部１５で２つのノズル７の相対向するフランジ部１２を同時に押えて取り付けを行う構成としてある。
【０００５】
ところで、上記エアドライヤでは、使用時に塗工液が付着する等してノズル７が汚れることがあり、この場合、従来は、図４に二点鎖線で示す如く、アクチュエータ４を伸長作動させて上部ケーシング２ａをヒンジ３を中心に開くことにより、該ケーシング２ａと一体に上下のドライヤユニット５の間を上下方向に開いた状態として、エアドライヤ内部に作業者が入りブラシ等を用いてノズル７の清掃を行うようにしていた。
【０００６】
【発明が解決しようとする課題】
ところが、上記した如く、従来のエアドライヤのノズルを清掃する場合には、上下のドライヤユニット５の間を開いて作業者がエアドライヤの内部に入って清掃作業を行うようにしていたため、作業スペースが狭く規制されて、作業に要する時間が嵩むという問題があり、又、ノズル７の外側の清掃は可能であるが、ノズル７内部の清掃は難しいという問題がある。更に、上側のドライヤユニット５や熱風発生装置８を取り付けてあって重量物となる上部ケーシング２ａを上方移動させた状態として、その下で作業を行わなければならないため、作業者の作業中に上部ケーシング２ａが落下することのないように十分な安全対策を講じなければならないという問題がある。
【０００７】
因みに、これらの問題を解決する一つの手段としては、ドライヤユニット５の各ノズル７を取り外して清掃することが考えられるが、従来のエアドライヤの各ノズル７は、長手方向の全長に亘って設けたフランジ部１２を、長手方向の全長に亘って延びる押え板１４の押え部１５で押えてヘッダ６に取り付けるようにしてある構成上、押え板１４を固定している締付用ボルト１６を緩めた後、ノズル７を長手方向にスライドさせて取り外すには、ノズル７を、長手方向の全長に亘る長さの分スライドさせなければならず、この場合、ケーシング２やアクチュエータ４が邪魔になるため、取り外しは困難になるという問題がある。一方、ノズル７のフランジ部１２と係合させている押え板１４を固定しているボルト１６を完全に抜いて、押え板１４を取り外すことにより、ノズル７の取り外しを行うことも考えられるが、この場合には、隣接して配置された２つのノズル７の対向するフランジ部１２を一つの押え板１４によって固定するようにしているため、一部のノズル７のみを清掃したいときにも、原紙走行方向のいずれかの端部のノズル７から、上記清掃すべきノズル７に至るまでのすべての押え板１４とノズル７を端から順に取り外さなければならず、実施が難しいという問題がある。
【０００８】
そこで、本発明は、ノズルをヘッダから容易に取り外すことができて、ノズルの清掃を容易にすることができるようにしたエアドライヤを提供しようとするものである。
【０００９】
【課題を解決するための手段】
本発明は、上記課題を解決するために、ウェブの幅方向の全長に亘って延びるノズルをウェブの走行方向へ所要間隔位置で多数配列し且つ該各ノズルの基端側を熱風供給用のヘッダにて連結してなるドライヤユニットを、走行するウェブの両面側に、それぞれノズルの先端側が接近するように対向させて配置させ、走行するウェブの両面に、上記各ノズル先端側より熱風を吹き付けることによりウェブを乾燥させるようにしてあるエアドライヤにおいて、上記各ノズルの基端側で且つ長手方向の複数個所の両側に、幅方向に突出するひれ状突起を、隣接配置されたノズル間で相対向するように設けて、該相対向するひれ状突起を個々の押え部材とボルトで取外し可能に固定した構成とする。
【００１０】
ノズルの清掃を行う場合は、先ず、取り外すべきノズルの各ひれ状突起を押えているすべての押え部材の締付用ボルトを緩め、次に、上記ノズルを長手方向に僅かに、すなわち、ひれ状突起の長さ分だけスライドさせて、ひれ状突起と押え部材との係合を離脱させる。しかる後、当該ノズルを先端側に移動させることにより、ノズルをヘッダの表面から取り外すことができる。したがって、取り外したノズルを、エアドライヤ外部に取り出して、ノズルの外側及び内部の清掃を容易に行うことができる。
【００１１】
清掃が終わったノズルは、上記ノズルの取り外しの手順と逆の手順を実施することによりヘッダへの取り付けが行われる。
【００１２】
又、押え部材を、円盤状とし且つ周方向の全周に亘る外周縁部のヘッダ側角部に、ノズルのひれ状突起を係合させ得る段差部を設けてなる構成とすることにより、押え部材の向きに拘りなく段差部にノズルのひれ状突起を係合させることができて、ノズルの着脱作業をより容易にすることができる。
【００１３】
【発明の実施の形態】
以下、本発明の実施の形態を図面を参照して説明する。
【００１４】
図１（イ）（ロ）は本発明のエアドライヤの実施の一形態を示すもので、図３乃至図５に示したものと同様な構成としてあるエアドライヤにおけるヘッダ６に設けてある各開口１３の外縁部に接するよう広幅のフランジ部１２を基端側の全周に亘り設けてあるノズル７に代えて、長手方向に延びるフランジ部の幅寸法を小さくすると共に、該フランジ部の長手方向所要間隔の複数個所に、幅方向に突出するひれ状の突起１７を設けてなるノズル７Ａとし、且つ図５に示したヘッダ６と同様に多数のスリット状の開口１３が穿設してあるヘッダ６の各開口１３の外縁部に、上記ノズル７Ａのフランジ部を当接して各ノズル７Ａで各開口１３を覆うようにし、隣接する各ノズル７Ａより突出して相対向する２つのひれ状突起１７の先端部を、円盤形状とした押え部材１８で同時に押えるようにする。押え部材１８は、外周縁部でひれ状突起１７を押え得るように、外周縁部の裏面側に、中央部分よりも薄肉構造となるような段差部１９を設けた構成としてあり、該押え部材１８の段差部１９をひれ状突起１７の先端部に係合させ、該押え部材１８の中心部を、ボルト１６にてヘッダ６に締め付けることによりノズル７Ａのヘッダ６への取り付けを行うようにする。
【００１５】
今、たとえば、図１（ロ）における中央のノズル７Ａの清掃を行う場合は、先ず、上記ノズル７Ａの各ひれ状突起１７と係合している図上４つの押え部材１８の締付用ボルト１６を緩め、次に、図１（ロ）に二点鎖線で示す如く、上記ノズル７Ａを、長手方向のいずれか一方（図では下方向）に、各ひれ状突起１７が押え部材１８と重ならなくなるまで、すなわち、ひれ状突起１７のノズル７Ａの長手方向に関する寸法分だけスライドさせ、次いで、上記ノズル７Ａをヘッダ６から離脱させる先端側の方向に移動させることにより、該ノズル７Ａをヘッダ６から簡単に取り外すことができる。したがって、その後、ノズル７Ａを、エアドライヤ外部に取り出すことにより、外部及び内部の清掃を行うようにする。
【００１６】
清掃が終わったノズル７Ａは、上記ノズル７Ａの取り外しの手順と逆の手順を実施することによりヘッダ６への取り付けが行われる。
【００１７】
このように、ノズル７Ａを大きくスライドさせることなく取り外すことができ、この際、各押え部材１８は締付用ボルト１６を緩めるのみでヘッダ６に取り付けたままとしてあることから、一部のノズル７Ａのみを単独でヘッダ６から取り外すことができ、したがって、ノズル７Ａの清掃を、エアドライヤ外部の広い作業スペースで実施することができて、清掃を容易にすることができて、清掃作業に要する時間を削減することができると共に、ノズル７Ａの内部の清掃も容易に実施できる。又、押え部材１８は外周縁部の全周方向に段差部１９を備えた円盤形状としてあるので、ノズル７Ａの取り外しのために取付ボルト１６を緩めた際、たとえ回転したとしても、向きを修正することなく再びノズル７Ａのひれ状突起１７を段差部に容易に係合させることができて、着脱作業をより容易にすることができる。
【００１８】
なお、本発明は上記実施の形態のみに限定されるものではなく、押え部材１８は、外周縁部の全周方向に段差部を設けた円盤形状のものとして示したが、図２に示す如く、対抗する２つの辺部にのみノズル７Ａのひれ状突起１７を係合させ得る段差部１９を設けた矩形状のものとしてもよく、この場合には、締付用ボルト１６を緩めた場合に回転して向きが変わることのないように、複数のボルト１６でヘッダに固定するようにすることが好ましいこと、ウェブを走行させながら、幅方向に延びるノズルから熱風を吹き付ける形式のエアドライヤであれば、塗工紙以外のウェブを対象とするエアドライヤにも適用できること、その他、本発明の要旨を逸脱しない範囲内において種々変更を加え得ることは勿論である。
【００１９】
【発明の効果】
以上述べた如く、本発明のエアドライヤによれば、ウェブの幅方向の全長に亘って延びるノズルをウェブの走行方向へ所要間隔位置で多数配列し且つ該各ノズルの基端側を熱風供給用のヘッダにて連結してなるドライヤユニットを、走行するウェブの両面側に、それぞれノズルの先端側が接近するように対向させて配置させ、走行するウェブの両面に、上記各ノズル先端側より熱風を吹き付けることによりウェブを乾燥させるようにしてあるエアドライヤにおいて、上記各ノズルの基端側で且つ長手方向の複数個所の両側に、幅方向に突出するひれ状突起を、隣接配置されたノズル間で相対向するように設けて、該相対向するひれ状突起を個々の押え部材とボルトで取外し可能に固定した構成としてあるので、ノズルの各ひれ状突起を係合させて固定している押え部材の締付用ボルトを緩めた後、ノズルを、長手方向に大きくスライドさせることなく容易に取り外すことができ、この際、上記押え部材は、締付用ボルトを緩めるのみで完全に取り外さなくてよいため、清掃を要する所要のノズルを単独で取り外すことができて、ノズルの清掃を容易なものとすることができ、更に、ノズル内部の清掃も可能となるという優れた効果を発揮することができ、又、押え部材を、円盤状とし且つ周方向の全周に亘る外周縁部のヘッダ側角部に、ノズルのひれ状突起を係合させ得る段差部を設けてなる構成とすることにより、押え部材の向きに拘りなく段差部にノズルのひれ状突起を係合させることができて、ノズルの着脱作業をより容易にすることができるという優れた効果を発揮する。
【図面の簡単な説明】
【図１】本発明のエアドライヤの実施の一形態における要部となるノズル取付部を示すもので、（イ）は概略切断側面図、（ロ）は（イ）のＡ−Ａ方向矢視図である。
【図２】本発明の実施の他の形態を示す図１（ロ）に対応する図である。
【図３】エアドライヤの一例の概略を示す切断側面図である。
【図４】図３のＢ−Ｂ方向矢視図である。
【図５】従来のエアドライヤのノズルの取付部を示すもので、（イ）は概略切断側面図、（ロ）は（イ）のＣ−Ｃ方向矢視図である。
【符号の説明】
１  原紙（ウェブ）
５  ドライヤユニット
６  ヘッダ
７  ノズル
８  熱風
１６  締付用ボルト
１７  ひれ状突起
１８  押え部材
１９  段差部
【図１】
0004438242.tif 000002
【図２】
0004438242.tif 000003
【図３】
0004438242.tif 000004
【図４】
0004438242.tif 000005
【図５】
0004438242.tif 000006